(57)【要約】  本発明に係るボタン止具（１０）は、ベース（１１）と、ベース（１１）から突出するポスト（２０）とを備える。ポスト（２０）は、ベース側の基端部（２１）と、基端部（２１）の突出側端からポスト（２０）の突出端（２３）まで延びる先端部（２２）とを含む。前記基端部（２１）は、ポスト（２０）の軸線に垂直な断面が真円であり、前記先端部（２２）は、ポスト（２０）の軸線に垂直な断面が長円形でありかつ該断面が前記突出端（２３）へと次第に又は段階的に縮小する。前記ポスト（２０）の先端部（２２）の前記断面は長円形であり得る。前記ポスト（２０）において、先端部（２２）の軸方向長さは、基端部（２１）の軸方向長さよりも長い。
2015097895.tif 000002
【特許請求の範囲】
【請求項１】
ベース（１１、１１Ａ、１１Ｂ、１１Ｃ、４１、６１、８１）と、ベース（１１、１１Ａ、１１Ｂ、１１Ｃ、４１、６１、８１）から突出するポスト（２０、５０、７０、９０）とを備え、
ポスト（２０、５０、７０、９０）は、ベース側の基端部（２１、５１、７１、９１）と、基端部（２１、５１、７１、９１）の突出側端からポスト（２０、５０、７０、９０）の突出端（２３、５３、７３、９３）まで延びる先端部（２２、５２、７２、９２）とを含み、
前記基端部（２１、５１、７１、９１）は、ポスト（２０、５０、７０、９０）の軸線に垂直な断面が真円であり、
前記先端部（２２、５２、７２、９２）は、ポスト（２０、５０、７０、９０）の軸線に垂直な断面が非真円形でありかつ該断面が前記突出端（２３、５３、７３、９３）へと縮小することを特徴とするボタン止具。
【請求項２】
前記ポスト（２０、５０、７０、９０）において、先端部（２２、５２、７２、９２）の軸方向長さは、基端部（２１、５１、７１、９１）の軸方向長さよりも長い請求項１に記載のボタン止具。
【請求項３】
前記ポスト（２０、５０、９０）の先端部（２２、５２、９２）の前記断面は長円形である請求項１または２に記載のボタン止具。
【請求項４】
前記ポスト（７０）の先端部（７２）の前記断面は三角形又は四角形である請求項１または２に記載のボタン止具。
【請求項５】
前記ベース（１１、４１、６１）は、ポスト（２０、５０、７０）の周囲に凹部（１２）を有する請求項１または２に記載のボタン止具。
【請求項６】
ベース（１１、１１Ａ、１１Ｂ、１１Ｃ、４１、６１、８１）と、ベース（１１、１１Ａ、１１Ｂ、１１Ｃ、４１、６１、８１）から突出するポスト（２０、５０、７０、９０）とを備え、
ポスト（２０、５０、７０、９０）は、ベース側の基端部（２１、５１、７１、９１）と、基端部（２１、５１、７１、９１）の突出側端からポスト（２０、５０、７０、９０）の突出端（２３、５３、７３、９３）まで延びる先端部（２２、５２、７２、９２）とを含み、
前記基端部（２１、５１、７１、９１）は、ポスト（２０、５０、７０、９０）の軸線に垂直な断面が真円であり、
前記先端部（２２、５２、７２、９２）は、ポスト（２０、５０、７０、９０）の軸線に垂直な断面が長円形でありかつ該断面が前記突出端（２３、５３、７３、９３）へと縮小することを特徴とするボタン止具。
【請求項７】
前記ポスト（２０、５０、７０、９０）において、先端部（２２、５２、７２、９２）の軸方向長さは、基端部（２１、５１、７１、９１）の軸方向長さよりも長い請求項６に記載のボタン止具。
【請求項８】
前記ベース（１１、４１、６１）は、ポスト（２０、５０、７０）の周囲に凹部（１２）を有する請求項６に記載のボタン止具。
【発明の詳細な説明】
【技術分野】
【０００１】
本発明はボタン止具に関し、特にバー等のボタンを生地に取り付けるために用いるリベット等のボタン止具に関する。
【背景技術】
【０００２】
リベット(rivet)とも呼ばれるボタン止具は、例えば、ジーンズのポケットにバー（burr）をかん止めとして取り付けるために一般的に使用されている。図３０に、バー（ボタン）３０と従来のリベット（ボタン止具）１３０を示す。図３１及び３２は、図３０のＬ−Ｌ線及びＭ−Ｍ線矢視断面図である。リベット１３０は、円板状のベース１３１と、ベース１３１から上方（上下は図３０の紙面に基づく）に突出する中実なポスト１４０とを備える。ポスト１４０の軸線に垂直な断面（本明細書中「水平断面」という）は、図３１及び３２から分かるように、ポスト１４０の下端から先端１４３までの全域にわたって一般に真円である。また、ポスト１４０は、根元付近を除いて外径が一定の胴部１４１と、胴部１４１の上端から先端１４３まで外径が縮小する先端部１４２とを含む。先端部１４２の軸方向長さは胴部１４１の軸方向長さに比べて短く、図示の例では約１対３である。【０００３】
バー３０は、円環板状のフランジ３１と、フランジ３１の半径方向内側において上方にほぼドーム状に膨らむ凸部３２とを有する。凸部３２はリベット１３０のポスト１４０を受け入れ、変形させて係止する空間を内部に規定する。この内部空間の水平断面も真円である。バー３０を生地に取り付けるに当たり、バー３０は上方ダイ（図示せず）に保持され、リベット１３０は下方ダイ（図示せず）に載置され、バー３０とリベット１３０間に生地が配された後、上方ダイが降下される。この際、バー３０により押し下げられる生地をリベット１３０のポスト１４０が上方に貫通し、次いでポスト１４０はバー３０の凸部３２の内部空間に入った後、内部空間を埋めるように加締められる。これにより、バー３０が生地に固定される。生地は、ポスト１４０が突き抜けることによって孔が開けられつつ、ポスト２０によって凸部３２の内部空間へと部分的に巻き込まれる。【０００４】
バー３０の凸部３２の内部空間において、リベット１３０のポスト１４０が加締められる挙動は次のようになる。まず、生地を上方に突き抜けたポスト１４０は凸部３２の内部空間に入り、ポスト１４０の先端１４３が凸部３２の上端部に突き当たる。この上端部は上方ダイ（図示せず）によって支持される。このポスト１４０の先端１４３が凸部３２の内部空間の上端部に突き合った後、更にバー３０が降下することにより、ポスト１４０は凸部３２の内部空間内で軸方向に潰れつつ半径方向に膨らむように変形する。ポスト１４０の半径方向への拡張において、ポスト１４０によって凸部３２の内部空間に巻き込まれた生地がポスト１４０と凸部３２の内側面との間に挟み込まれる。これにより、バー３０とリベット１３０との間に生地が固定される。【０００５】
リベット１３０のポスト１４０がバー３０の凸部３２の内部空間内で加締められる際、リベット１３０のポスト１４０は水平断面が真円であるため、その半径方向への拡張は真円がそのまま拡大するように行われる。他方、半径方向に拡張するポスト１４０を生地を挟んで受ける側のバー３０の凸部３２の内側面も水平断面が真円である。そのため、半径方向に拡張するポスト１４０は、凸部３２の内側面に対し、生地を３６０度ほぼ均等の力で押し付けることとなる。そのため、バー３０を上記のリベット１３０で薄い生地に取り付けようとすると、半径方向外側に膨らむポスト１４０が凸部３２の内側面に対し生地を押し付ける力が不足し、加締められたポスト１４０とバー３０の凸部３２の内側面との間で生地がしっかりと固定されない場合があった。この場合、例えば洗濯を繰り返すとバー３０が生地から外れるおそれがある。【０００６】
また、従来のリベット１３０は、基端部１４１の軸方向長さ先端部１４２の軸方向長さよりも長いため、リベット１３０の加締め時において基端部１４１が先に変形し始め、基端部１４１が過度に変形する場合があった。この場合、変形した基端部１４１が生地を持ち上げ、これにより生地がリベット１３０のベース１３１の上面から離れ、ベース１３１とバー３０のフランジ３１との間に隙間が生じた。この隙間にユーザーの指が入ると、ユーザーが怪我をするおそれがある。【０００７】
本発明は、以上のような問題点に鑑みてなされたもので、その目的は、比較的薄い生地に対してもバー等のボタンを確実に取り付けることができるボタン止具を提供することにある。
【発明の概要】
【発明が解決しようとする課題】
【０００８】
本発明の別の目的は、ポストの基端部が変形しても生地を持ち上げることのないボタン止具を提供することにある。
【課題を解決するための手段】
【０００９】
上記課題を解決するため、本発明の一側面によれば、ベースと、ベースから突出するポストとを備え、ポストは、ベース側の基端部と、基端部の突出側端からポストの突出端まで延びる先端部とを含み、前記基端部は、ポストの軸線に垂直な断面が真円であり、前記先端部は、ポストの軸線に垂直な断面が非真円形でありかつ該断面が前記突出端へと縮小することを特徴とするボタン止具が提供される。ポストはベースの外周が円形の場合、ベースと同心状に延びる。「該断面が前記突出端へと縮小する」態様としては、ポストの先端部の水平断面がポストの突出端へと漸次縮小する態様と段階的に縮小する態様とを含む。【００１０】
ボタン止具の材質としては、アルミニウム、アルミニウム合金、銅、銅合金、ニッケル、ニッケル合金、鉄、ステンレス等の金属や、ポリエチレン、ポリプロピレン、ポリ塩化ビニル、ポリスチレン、ポリ酢酸ビニル、ポリテトラフルオロエチレン、ＡＢＳ樹脂、ＡＳ樹脂、アクリル樹脂等の熱可塑性樹脂等を挙げることができるが、これらに限定されるものではない。【００１１】
本発明のボタン止具は、ポストの先端部の水平断面（ポストの軸線に垂直な断面）が非真円である。そのため、ポストの加締め時において、バーの凸部の内部空間でポストの先端部が半径方向外側に拡張する際、凸部の水平断面真円の内側面に対し、非真円の輪郭において比較的径（ここで、径とは、ポストの先端部の水平断面における中心もしくは中央から外周までの長さをいう。）が大きい部分（水平断面の中心もしくは中央から外周までの長さが比較的長い部分）が比較的径が小さい部分よりも先に凸部の内側面に対し生地を押し付け得る。次いで、ポストの先端部の上記比較的径が小さい部分が更に半径方向外側に拡張して、凸部の内側面に対し生地を押し付け得る。これにより、加締められるポストの先端部によるリベットの凸部の内側面に対する生地の押し付けが、先端部の上記比較的径が大きい部分によって部分的に強くなり得る。これにより、本発明では、バーとボタン止具との間で比較的薄い生地を確実に固定することが可能となる。【００１２】
本発明の一実施形態において、前記ポストにおいて、先端部の軸方向長さは、基端部の軸方向長さよりも長い。このように水平断面が基端部に比べ小さい先端部の軸方向長さを基端部よりも長くすることにより、ポストの加締め時において、基端部よりも先に先端部が軸方向に潰れ得る。そのため、基端部が過剰に変形して生地を持ち上げるような事態を防ぐことが可能となる。【００１３】
本発明の一実施形態において、前記ポストの先端部の前記断面は長円形である。本明細書において長円形は楕円と同義である。この実施形態では、先端部の水平断面長円形の長径対応部分が短径対応部分よりも先にリベットの凸部の内側面に対し生地を介して突き当たり得る。【００１４】
本発明の一実施形態において、前記ポストの先端部の前記断面は三角形又は四角形である。この場合、先端部の水平断面三角形又は四角形の角に対応する部分が角と角の間に対応する部分よりも先にリベットの凸部の内側面に対し生地を介して突き当たり得る。【００１５】
本発明の一実施形態において、前記ベースは、ポストの周囲に凹部を有する。ボタン止具のベースの上面におけるポストの根元の周囲に凹部を設けることにより、加締められたポストの基端部を凹部に受け入れることができる。これも、加締められた基端部が生地を持ち上げる事態の防止に貢献し得る。【００１６】
本発明の別の側面によれば、ベースと、ベースから突出するポストとを備え、ポストは、ベース側の基端部と、基端部の突出側端からポストの突出端まで延びる先端部とを含み、前記基端部は、ポストの軸線に垂直な断面が真円であり、前記先端部は、ポストの軸線に垂直な断面が長円形でありかつ該断面が前記突出端へと縮小することを特徴とするボタン止具が提供される。本発明では、前記ポストにおいて、先端部の軸方向長さは、基端部の軸方向長さよりも長くすることができる。また、本発明において、前記ベースは、ポストの周囲に凹部を有し得る。
【発明の効果】
【００１７】
本発明では、ボタン止具のポストの先端部の水平断面を非真円としたことにより、加締め時において非真円の輪郭の比較的径が大きい部分がバーの凸部の内側面に対し生地を先に押し付ける。これにより、比較的薄い生地であっても、ポストの先端部の比較的径が大きい部分によってバーの凸部の内側面に対ししっかりと固定することが可能となる。【００１８】
また、本発明の一実施形態では、ボタン止具のポストの先端部の軸方向長さを基端部の軸方向長さよりも長くすることにより、ポストの加締め時において、基端部よりも先に先端部が軸方向に変形し始め、基端部が過度に変形して、生地をボタン止具のベースの上面から持ち上げるような事態を防ぐことが可能になる。
【図面の簡単な説明】
【００１９】
【図１】図１は、本発明の第１実施形態に係るボタン止具を示す平面図である。
【図２】図２は、図２は図１のボタン止具の一部断面側面図である。
【図３】図３は、図１のボタン止具を用いてボタンを生地に取り付けた状態を示す断面説明図である。
【図４】図４は、図１のボタン取付具を用いて生地にボタンを取り付ける直前の配置構成図である。
【図５】図５は、図４のＡ−Ａ線矢視断面図である。
【図６】図６は、図４のＢ−Ｂ線矢視断面図である。
【図７】図７は、図４のＣ−Ｃ線矢視断面図である。
【図８】図８は、図４のＤ−Ｄ線矢視断面図である。
【図９】図９は、図１のボタン止具を用いてボタンを生地に取り付ける工程において、ボタン止具のポストの先端がボタンの凸部の内部空間に入って上端部に接した時点を示す一部断面説明図である。
【図１０】図１０は、図９のＥ−Ｅ線矢視断面図である。
【図１１】図１１は、図１０からわずかに時間が経過した時点の状態を拡大して示す。
【図１２】図１２は、生地へのボタンの取り付けが完了した状態を示す断面説明図である。
【図１３】図１３は図１２の一部を拡大した図である。
【図１４】図１４は、図３等の生地に比べて厚い生地に対してボタンをボタン止具を用いて取り付ける直前の配置構成図である。
【図１５】図１５は、生地へのボタンの取り付けが完了した状態を示す断面説明図である。
【図１６】図１６は、本発明の第２実施形態に係るボタン止具を示す一部断面側面図である。
【図１７】図１７は、図１６のＦ−Ｆ線矢視断面図である。
【図１８】図１８は、図１６のＧ−Ｇ線矢視断面図である。
【図１９】図１９は、図１６のＨ−Ｈ線矢視断面図である。
【図２０】図２０は、図１６のＩ−Ｉ線矢視断面図である。
【図２１】図２１は、本発明の第３実施形態に係るボタン止具を示す一部断面側面図である。
【図２２】図２２は、図２１のＪ−Ｊ線矢視断面図である。
【図２３】図２３は、図２１のＫ−Ｋ線矢視断面図である。
【図２４】図２４は、本発明の第４実施形態に係るボタン止具と、バーとは異なるタイプのボタンとを示す、生地への取り付け直前の配置構成図である。
【図２５】図２５は、図２４のボタン止具を用いてボタンを生地に取り付ける工程を略示する断面説明図である。
【図２６】図２６は、図２４のボタン止具を用いるボタンの生地への取り付けが完了した状態を示す断面説明図である。
【図２７】図２７は、図１に示したボタン止具の変形例を示す一部断面側面図である。
【図２８】図２８は、図１に示したボタン止具の別の変形例を示す一部断面側面図である。
【図２９】図２９は、図１に示したボタン止具の更に別の変形例を示す一部断面側面図である。
【図３０】図３０は、バーと従来のリベットを示す一部断面側面図である。
【図３１】図３１は、図３０のＬ−Ｌ線矢視断面図である。
【図３２】図３２は、図３０のＭ−Ｍ線矢視断面図である。
【発明を実施するための形態】
【００２０】
以下、本発明の実施形態を図面を参照しつつ説明するが、本発明はそのような実施形態に限定されるものではなく、特許請求の範囲及び均等の範囲内で変更等がなされ得ることが当業者には理解される。
【００２１】
第１実施形態
図１は、本発明の第１実施形態に係るボタン止具１０を示す平面図であり、図２はボタン止具１０の一部断面側面図である。ボタン止具１０は、リベットとも呼ばれる金属製の部品であり、ほぼ円板状のベース１１と、ベース１１の中央部からベース１１と同心状に上方（上下方向は図２の紙面に基づく）に突出する中実なポスト２０とを備える。ボタン止具１０は熱可塑性樹脂等の合成樹脂製であってもよい。ベース１１の下面は、ポスト２０の軸線に垂直な、すなわち水平な円形の底面１１ａと、底面１１ａの半径方向外側端から半径方向外側へと上方に傾斜する環状の傾斜面１１ｂとを含む。傾斜面１１ｂはベース１１の下面の半径方向外側端を規定する。ベース１１の上面側には、上面の半径方向外側端を規定する水平な環状面１１ｃと、環状面１１ｃの半径方向内側において環状面１１ｃに対し下方に窪み、ポスト２０の根元の周囲に環状の凹部１２とが設けられる。ベース１１は更に、傾斜面１１ｂの半径方向内側端と環状面１１ｃの半径方向内側端との間に、軸線と平行な側面１１ｄを有する。
【００２２】
ボタン止具１０のポスト２０は、ベース１１側から外径がほぼ一定にて上方に延び、水平断面（横断面）が真円である下方の基端部２１と、基端部２１の上端から水平断面が次第に縮小しながらポスト２０の先端２３へと延びる上方の先端部２２とを備える。このようであるため、基端部２１は先端部２２に対してベース側に備えられる。基端部２１の上端は、基端部２１がポスト２０から突出側の端部であることから、基端部２１の突出側端とも言う。先端部２２の水平断面は長径及び短径を有する長円形である。図２の側面図では、先端部２２の輪郭が長径側を表している。従って、先端部２２は、基端部２１の上端からポスト２０の先端２３へと長径及び短径が漸次縮小しつつ延びる（図６〜８参照）。ポスト２０の先端２３は小さい長円形の水平面であり、図１では先端の長円形を分かり易くするために若干拡大している。ポスト２０における基端部２１と先端部２２の軸方向における長さは、先端部２２よりも基端部２１が短く、本実施形態では先端部２２の軸方向長さは基端部２１の長さの約２倍である。一例であるが、ポスト２０の軸方向における長さは６ｍｍ以上７７．５ｍｍ以下であり、先端部２２の軸方向長さは３．５ｍｍ以上で、例えば４ｍｍになっている。真円の直径は２．４ｍｍである。楕円の長径の寸法と短径の寸法との比率は先端の近傍にて、１．５：１である。
【００２３】
図３は、バーとも呼ばれる金属製のボタン３０を上記したボタン止具１０を用いて生地１に取り付けた状態を示す断面説明図である。ボタン３０は、円環板状のフランジ３１と、フランジ３１の半径方向内側において上方にほぼドーム状に膨らむ凸部３２とを備える。凸部３２の内側面３２ａが規定する内部空間３５は、フランジ３１との境界である下端部３３が規定する円形の開口で開放しており、上方の水平な上端部３４で閉じている。この開口は、ポスト２０の基端部２１の直径よりもわずかに大きい真円である。また、先端部２２の軸線方向の長さ寸法は、凸部３２の内側面３２ａの上端から開口までの軸線方向の長さ寸法よりも大きい。これにより、先端部２２の先端２３が凸部３２の内側面３２ａの上端に接触した状態で、先端部２２の一部は開口から外部に露出した状態になる。先端２３はポスト２０の突出する方向の端部であることから、突出端とも言う。凸部３２の下端部３３から上端部３４まで内側面３２ａの水平断面すなわち内部空間の３５水平断面は真円である。内側面３２ａの径は、下端部３３から上方へと次第に拡大した後、縮小に転じて上端部３４に至る。これにより、凸部３２の下端部３３は半径方向内側へと括れた形状となり、内部空間３５内で後述するように変形したボタン止具１０のポスト２０を係止することができる。ボタン３０を生地１に取り付けるに当たり、一般に、ボタン３０は図示しない上方ダイに保持され、ボタン止具１０は図示しない下方ダイに載置され、ボタン３０とボタン止具１０との間に生地１が配される。この状態から上方ダイを降下（又は下方ダイを上昇）させると、ボタン止具１０のポスト２０が生地１を貫通した後、ボタン３０の凸部３２の内部空間３５に入り、内部空間３５内で加締められ係止される。これにより、ボタン３０が生地１に固定される。本実施形態では、ボタン３０を保持した上方ダイがボタン止具１０を支持した静止状態の下方ダイに対して降下することにより、ボタン３０の生地１への取り付けが行われる例を挙げるが、ボタン３０の取り付け時に下方ダイが上昇したり、あるいは二つのダイが左右方向に移動する場合もあり得る。この生地１へのボタン３０の取り付けの際、生地１はポスト２０によって突き抜かれて孔が開けられつつ、ポスト２０によって凸部３２の内部空間３５へと巻き込まれる。また、ポスト２０は、内部空間３５内で軸方向に潰れかつ半径方向に膨らんで内部空間３５を満たすように変形させられる。
【００２４】
図４は、ボタン止具１０を用いて生地１にボタン３０を取り付ける直前の配置構成図である。また、図５〜８はそれぞれ、図４のＡ−Ａ線、Ｂ−Ｂ線、Ｃ−Ｃ線、及びＤ−Ｄ線矢視断面図である。図５には、ボタン止具１０のポスト２０の基端部２１の水平断面が表され、基端部２１の水平断面が真円であることが分かる。図６〜８には、ポスト２０の先端部２２における下方から上方への三つの位置での水平断面が表され、先端部２２の水平断面が長円形であり、その長径及び短径が上方へと縮小していることが分かる。図６中の参照番号２２Ａは先端部２２の長径対応部分を示し、２２Ｂは短径対応部分を示す。
【００２５】
図９は、ボタン止具１０を用いてボタン３０を生地１に取り付ける工程において、生地１を貫通したボタン止具１０のポスト２０の先端２３がボタン３０の凸部３２の内部空間３５に入って上端部３４に接した時点を示す一部断面説明図である。図９においてポスト２０の先端部２２の上方部分が凸部３２の内部空間３５内に入っている。図９の時点で、生地１はボタン止具１０のポスト２０によって突き抜かれて孔が開きつつ、ポスト２０によってボタン３０の凸部３２の内部空間３５内に巻き込まれている。図１０は、図９のＥ−Ｅ線矢視断面図であり、ボタン止具１０のポスト２０とボタン３０のフランジ３１との間に生地１が表されている。
【００２６】
図９の時点から、ポスト２０は、図示しない降下中の上方ダイに支持されたボタン３０の凸部３２の上端部３４により加締められ始める。この加締め時において、ポスト２０は、軸方向に潰れつつ半径方向に膨らむが、ポスト２０の先端部２２は水平断面が長円形であるため、ポスト２０の先端部２２は、先端部２２の長径対応部分２２Ａが短径対応部分２２Ｂよりも先に凸部３２の下端部３３を含む凸部３２の内側面３２ａに生地１を介して突き当たるように変形する。図１１は、図１０からわずかに時間が経過した時点の状態を拡大して示し、ポスト２０の先端部２２の長径対応部分２２Ａが凸部３２の下端部３３との間で生地１を挟み込んだ状態を示す。この後、ポスト２０の先端部２２は、下端部３３に生地１を挟んで突き当たって半径方向への拡張が制限される長径対応部分２２Ａよりも、下端部３３に対してわずかに余裕のある短径対応部分２２Ｂが半径方向外側に変形する。このように、ボタン止具１０では、ポスト２０の先端部２２の長径対応部分２２Ａによる２点で先に下端部３３に対して生地１を押さえ付けるので、その後に拡張する短径対応部分２２Ｂによる生地１に対する押さえ付けが万一不十分であったとしても、長径対応部分２２Ａによる上記２点で確実に生地１をボタン３０とボタン止具１０との間で固定することができる。以上では、図９のＥ−Ｅ線断面に基づき、ボタン３０の下端部３３に対する生地１の押さえ付ける態様を説明したが、ポスト２０の長径対応部分２２Ａの２点が生地１をボタン３０に対し先に押さえ付ける作用は、下端部３３に対してのみならず、凸部３２の内側面３２ａに対しても同様に働く。すなわち、凸部３２の内部空間３５内に生地１が巻き込まれた範囲において、凸部３２の内側面３２ａに対しても先にポスト２０の長径対応部分２２Ａの２点が生地１を押さえ付け、次いで短径対応部分２２Ｂが半径方向に拡張して生地１を更に内側面３２ａに対し押し付ける。この短径対応部分２２Ｂが拡張する間、長径対応部分２２Ａも拡張しようと凸部３２の内側面３２ａを押し続けるため、長径対応部分２２Ａの２点が内側面３２ａに対し生地１を押し付ける力は向上する。そのため、ボタン３０とボタン止具１０との間で生地１を固定する力が高まる。以上のポスト２０の先端部２２の変形時の挙動は、厳密には、長円形の水平断面が円形に近付くように変形しながら行われるが、それでも、長径対応部分２２Ａが短径対応部分２２Ｂよりも先に凸部３２の内側面３２ａに突き当たる。
【００２７】
図１２は、生地１へのボタン３０の取り付けが完了した状態を示す断面説明図である。図１３は図１２の一部を拡大した図である。ボタン３０の生地１への取り付け時において、ボタン止具１０のポスト２０は、既述したように先端部２２が変形する他、基端部２１も軸方向に潰れかつ半径方向に膨らむ。また、取り付け完了状態において、ボタン３０のフランジ３１の下面とボタン止具１０のベース１１の環状面１１ｃとの間に生地１が挟まれる。ポスト２０の基端部２１の半径方向外側への膨張は、ベース１１の凹部１２に受け入れられる。そのため、基端部２１がベース１１の環状面１１ｃよりも上方に膨張することを防ぐことができる。基端部２１がベース１１の環状面１１ｃよりも上方に膨張すると、フランジ３１の下面とボタン止具１０のベース１１の環状面１１ｃとの間隔が開き、生地１の保持が低下したり、その隙間からユーザーの指がフランジ３１やベース１１の外周エッジに触れて怪我をするおそれが生じ得る。また、ボタン止具１０のポスト２０では、水平断面が一定な基端部２１の軸方向長さが、水平断面が基端部２１から上方に縮小する先端部２２の軸方向長さよりも短いため、加締め時において、基端部２１よりも先端部２２が変形し易く、基端部２１よりも先に先端部２２が変形し始める。これにより、従来のボタン止具に比べボタン止具１０は基端部２１の変形量が少なく、変形した基端部２１が凹部１２内に収まり易くなると考えられる。
【００２８】
図１４は、生地１に比べて厚い生地２に対してボタン３０をボタン止具１０を用いて取り付ける直前の配置構成図である。図１５は、生地２へのボタン３０の取り付けが完了した状態を示す断面説明図である。ボタン３０はボタン止具１０によって厚い生地２に対し薄い生地１と同様に取り付けられる。そのため、ボタン止具１０のポスト２０の先端部２２は長径対応部分２２Ａによる２点が短径対応部分２２Ｂより先にボタン３０の凸部３２の内側面３２ａ及び下端部３３に生地２を挟んで突き当たり、生地２をボタン３０とボタン止具１０との間でしっかりと挟み付けることができる。また、ボタン止具１０のポスト２０の基端部２１は、厚い生地２の場合、薄い生地１に比べ加締め時にベース１１の凹部１２に受け入れられる半径方向への変形量が少ない。
【００２９】
第２実施形態
図１６は、本発明の第２実施形態に係るボタン止具４０を示す一部断面側面図である。ボタン止具４０は、ほぼ円板状のベース４１と、ベース４１の中央部からベース４１と同心状に上方に突出するポスト５０とを備える。ベース４１は第１実施形態に係るボタン止具１０のベース１１と共通する。ボタン止具４０のポスト５０は、ベース４１側から外径がほぼ一定にて上方に延び、水平断面が真円である下方の基端部５１と、基端部５１の上端から水平断面が段階的に縮小しながらポスト５０の先端５３へと延びる上方の先端部５２とを備える。先端部５２の軸方向長さは基端部５１の約２倍である。先端部５２は、基端部５１の上端から上方へと外径（長円形の長径及び短径の両方）が次第に縮小する先端下部５０Ａと、先端下部５０Ａの上端から上方へと外径が一定にて延びる先端中間部５０Ｂと、先端中間部５０Ｂの上端から先端５３へと外径が次第に縮小する先端上部５０Ｃとを含む。先端部５２、すなわち先端下部５０Ａ、先端中間部５０Ｂ及び先端上部５０Ｃの水平断面は長径及び短径を有する長円形である。図１７〜２０はそれぞれ、図１６のＦ−Ｆ線、Ｇ−Ｇ線、Ｈ−Ｈ線、及びＩ−Ｉ線矢視断面図である。図１７には、ボタン止具４０のポスト５０の基端部５１の水平断面が表され、基端部５１の水平断面が真円であることが分かる。図１８〜２０には、ポスト５０の先端下部５０Ａ、先端中間部５０Ｂ、及び先端上部５０Ｃそれぞれの長円形の水平断面が表される。ボタン止具４０によりボタン３０を生地１、２に取り付ける場合も、ボタン止具１０と同様に、ボタン止具４０のポスト５０の先端部５２は長径対応部分５２Ａによる２点が短径対応部分５２Ｂより先にボタン３０の凸部３２の内側面３２ａ及び下端部３３に生地１、２を挟んで突き当たり、生地１、２をボタン３０とボタン止具４０との間でしっかりと挟み付けることができる。
【００３０】
第３実施形態
図２１は、本発明の第３実施形態に係るボタン止具６０を示す一部断面側面図である。ボタン止具６０は、ほぼ円板状のベース６１と、ベース６１の中央部からベース６１と同心状に上方に突出するポスト７０とを備える。ベース６１は第１実施形態に係るボタン止具１０のベース１１と共通する。ボタン止具６０のポスト７０は、ベース６１側から外径がほぼ一定にて上方に延び、水平断面が真円である下方の基端部７１と、基端部７１の上端から水平断面が次第に縮小しながらポスト７０の先端７３へと延びる上方の先端部７２とを備える。先端部７２の水平断面は三角形である。先端部７２の軸方向長さは基端部７１の約２倍である。図２２及び２３はそれぞれ、図２１のＪ−Ｊ線及びＫ−Ｋ線矢視断面図である。図２２には、ボタン止具６０のポスト７０の基端部７１の水平断面が表され、基端部７１の水平断面が真円であることが分かる。図２３には、ポスト７０の先端部７２の水平断面が表され、先端部７２の水平断面が三つの角７２Ａを有する三角形であることが分かる。ボタン止具６０によりボタン３０を生地１（生地２であってもよい。）に取り付ける場合、ポスト７０の基端部７１はボタン止具１０のポスト２０の基端部２１と同様に変形する。一方、ポスト７０の先端部７２は、三角形の角７２Ａの３点が角７２Ａと角７２Ａとの間の部分よりも先にボタン３０の凸部３２の内側面３２ａ及び下端部３３に生地１を介して突き当たるように変形し、次いで、角７２Ａと角７２Ａとの間の部分が半径方向外側に膨らんで内側面３２ａ及び下端部３３に生地１を介して突き当たる。そのため、水平断面長円形のポスト２０を有するボタン止具１０と同様に、水平断面三角形のポスト７０を有するボタン止具６０によっても、ボタン３０との間で生地１をしっかりと挟み付けることができる。以上では、ポストの先端部の水平断面が三角形の例を挙げたが、四角形、星形等であってもよい。このように挙げた水平断面の形状は真円ではないことから、非真円形と言う。
【００３１】
第４実施形態
図２４は、本発明に係るボタン止具の更に別の例であるボタン止具８０と、ボタン止具８０を用いて生地３に取り付ける、バーとは異なるタイプのボタン１００とを示す、取り付け直前の配置構成図である。ボタン止具８０は、ほぼ円板状のベース８１と、ベース８１の中央部からベース８１と同心状に上方に突出するポスト９０とを備える。また、ボタン止具８０は、ポスト９０とベース８１のベースコア８２とを一体になす金属製又は樹脂製の止具本体８０Ａと、止具本体８０Ａのベースコア８２に対し下方から被せる金属製のカバー８３との二部品から構成される。カバー８３は、ベースコア８２よりも大径でほぼ水平な底部８３ａと、底部８３ａの半径方向外側端から上方かつ半径方向内側に湾曲状に折り返される外周部８３ｂとを有する。外周部８３ｂは、ベースコア８２の上面をわずかに超えて上方に膨らみ、ベースコア８２の上面の半径方向外側端付近を押さえ付けて終端する。そのため、ベースコア８２の上面は、半径方向外側端付近を除いて上方に露出し、外周部８３ｂの上端部に対して下方に窪んでいる。ポスト９０の形状はボタン止具１０のポスト２０と同じであり、水平断面が真円の基端部９１と、水平断面が長円形の先端部９２と有し、参照番号９３はポスト９０の先端である。また、ポスト９０の先端部９２の軸方向長さは基端部９１の長さの約２倍である。
【００３２】
ボタン１００は、一枚の金属製の板から形成され、上方に開放する中空円筒状の胴部１０１と、胴部１０１の上端から半径方向外側に延びて下方かつ半径方向内側にカーリングされた頭部１０２とを備える。ボタン１００は頭部１０２をボタン孔に出し入れするタイプのものである。胴部１０１の底部１０３の中央部において、上方すなわち底部１０３の内部へと若干突出した後、半径方向外側かつ下方へとＵ字状に折り返されて底部１０３の上面に接する環状の係止部１０４が設けられる。係止部１０４の半径方向内側部分の内周面は、生地３への取り付け時にボタン止具８０のポスト９０を通す開口１０５を規定する。
【００３３】
図２５及び２６は、ボタン止具８０を用いてボタン１００を生地３に取り付ける工程を略示する断面説明図である。ボタン１００を生地３に取り付けるに当たり、ボタン１００は上方ダイ（上方ダイのパンチ１１０のみ図示される）のボタン保持部に保持され、ボタン止具８０は下方ダイ１２０の上面に載置される。上方ダイはパンチ１１０を備え、パンチ１１０の底部１１１は上方にゆるやかな凹曲面となる。上方ダイが降下することにより、ボタン止具８０のポスト９０が生地３を貫通し、次いでボタン１００の開口１０５を通って底部１０３内に入る（図２５参照）。次いで、上方ダイのパンチ１１０が降下してポスト９０を胴部１０１内の係止部１０４上で加締める（図２６参照）。この際、ポスト９０の先端部９２は軸方向に潰れつつ半径方向に膨らみ、開口１０５から離脱不能となる。なお、ボタン止具８０のポスト９０では、水平断面が一定な基端部９１の軸方向長さが、水平断面が基端部９１から上方に縮小する先端部９２の軸方向長さより短く、先端部９２の断面が長円形であることで、加締め時において、先端部９２が長円形から潰れながら円形になるようにして大きく変形するのに対し、基端部９１は真円であることと、先端部９２が変形しやすいことがあいまって、ほとんど変形しない。
【００３４】
図２７は、図１に示したボタン止具１０の変形例であるボタン止具１０Ａを示す。このボタン止具１０Ａは、そのベース１１Ａに凹部（１２）が設けられていない点を除き第１実施形態に係るボタン止具１０と共通する。そのため、ベース１１Ａ以外のポスト２０についてはボタン止具１０と同じ参照番号を付している。ボタン止具１０Ａによってもボタン３０を薄い生地１にしっかりと固定することができる。図２８は、図１に示したボタン止具１０の別の変形例であるボタン止具１０Ｂを示す。ボタン止具１０Ｂのベース１１Ｂは凹部（１２）を有さず、また、ベース１１Ｂの上面が半径方向外側へと下方にわずかに傾斜している。なお、ボタン止具１０Ｂのポストはボタン止具１０のポスト２０と実質的に同じものであるため、ボタン止具１０と同じ参照番号を付している。図２９は、図１に示したボタン止具１０の更に別の変形例であるボタン止具１０Ｃを示す。ボタン止具１０Ｃのベース１１Ｃも凹部（１２）を有さず、ベース１１Ｃの上面が半径方向外側へと下方にわずかに傾斜している。ボタン止具１０Ｃのポストもボタン止具１０のポスト２０と実質的に同じであるため、ボタン止具１０と同じ参照番号を付している。
【符号の説明】
【００３５】
１、２、３  生地
１０、１０Ａ、１０Ｂ、１０Ｃ、４０、６０、８０  ボタン止具
１１、１１Ａ、１１Ｂ、１１Ｃ、４１、６１、８１  ベース
１２  凹部
２０、５０、７０、９０  ポスト
２１、５１、７１、９１  基端部
２２、５２、７２、９２  先端部
２３、５３、７３、９３  先端
３０  ボタン（バー）
３１  フランジ
３２  凸部
３２ａ  凸部の内側面
３３  下端部
３４  上端部
３５  内部空間
５０Ａ  先端下部
５０Ｂ  先端中間部
５０Ｃ  先端上部
７２Ａ  角
１００  ボタン
１０１  胴部
１０２  頭部
１０３  底部
１０４  係止部
１０５  開口
【図１】
2015097895.tif 000003
【図２】
2015097895.tif 000004
【図３】
2015097895.tif 000005
【図４】
2015097895.tif 000006
【図５】
2015097895.tif 000007
【図６】
2015097895.tif 000008
【図７】
2015097895.tif 000009
【図８】
2015097895.tif 000010
【図９】
2015097895.tif 000011
【図１０】
2015097895.tif 000012
【図１１】
2015097895.tif 000013
【図１２】
2015097895.tif 000014
【図１３】
2015097895.tif 000015
【図１４】
2015097895.tif 000016
【図１５】
2015097895.tif 000017
【図１６】
2015097895.tif 000018
【図１７】
2015097895.tif 000019
【図１８】
2015097895.tif 000020
【図１９】
2015097895.tif 000021
【図２０】
2015097895.tif 000022
【図２１】
2015097895.tif 000023
【図２２】
2015097895.tif 000024
【図２３】
2015097895.tif 000025
【図２４】
2015097895.tif 000026
【図２５】
2015097895.tif 000027
【図２６】
2015097895.tif 000028
【図２７】
2015097895.tif 000029
【図２８】
2015097895.tif 000030
【図２９】
2015097895.tif 000031
【図３０】
2015097895.tif 000032
【図３１】
2015097895.tif 000033
【図３２】
2015097895.tif 000034
【手続補正書】
【提出日】平成28年6月7日(2016.6.7)
【手続補正１】
【補正対象書類名】特許請求の範囲
【補正対象項目名】請求項６
【補正方法】変更
【補正の内容】
【請求項６】
ベース（１１、１１Ａ、１１Ｂ、１１Ｃ、４１、６１、８１）と、ベース（１１、１１Ａ、１１Ｂ、１１Ｃ、４１、６１、８１）から突出するポスト（２０、５０、７０、９０）とを備え、
ポスト（２０、５０、７０、９０）は、ベース側の基端部（２１、５１、７１、９１）と、基端部（２１、５１、７１、９１）の突出側端からポスト（２０、５０、７０、９０）の突出端（２３、５３、７３、９３）まで延びる先端部（２２、５２、７２、９２）とを含み、
前記基端部（２１、５１、７１、９１）は、ポスト（２０、５０、７０、９０）の軸線に垂直な断面が真円であり、
前記先端部（２２、５２、７２、９２）は、ポスト（２０、５０、７０、９０）の軸線に垂直な断面が長円形でありかつ該断面が前記突出端（２３、５３、７３、９３）へと次第に又は段階的に縮小することを特徴とするボタン止具。
【手続補正２】
【補正対象書類名】明細書
【補正対象項目名】０００３
【補正方法】変更
【補正の内容】
【０００３】
バー３０は、円環板状のフランジ３１と、フランジ３１の半径方向内側において上方にほぼドーム状に膨らむ凸部３２とを有する。凸部３２はリベット１３０のポスト１４０を受け入れ、変形させて係止する空間を内部に規定する。この内部空間の水平断面も真円である。バー３０を生地に取り付けるに当たり、バー３０は上方ダイ（図示せず）に保持され、リベット１３０は下方ダイ（図示せず）に載置され、バー３０とリベット１３０間に生地が配された後、上方ダイが降下される。この際、バー３０により押し下げられる生地をリベット１３０のポスト１４０が上方に貫通し、次いでポスト１４０はバー３０の凸部３２の内部空間に入った後、内部空間を埋めるように加締められる。これにより、バー３０が生地に固定される。生地は、ポスト１４０が突き抜けることによって孔が開けられつつ、ポスト１４０によって凸部３２の内部空間へと部分的に巻き込まれる。
【手続補正３】
【補正対象書類名】明細書
【補正対象項目名】００２１
【補正方法】変更
【補正の内容】
【００２１】
第１実施形態
図１は、本発明の第１実施形態に係るボタン止具１０を示す平面図であり、図２はボタン止具１０の一部断面側面図である。ボタン止具１０は、リベットとも呼ばれる金属製の部品であり、ほぼ円板状のベース１１と、ベース１１の中央部からベース１１と同心状に上方（上下方向は図２の紙面に基づく）に突出する中実なポスト２０とを備える。ボタン止具１０は熱可塑性樹脂等の合成樹脂製であってもよい。ベース１１の下面は、ポスト２０の軸線に垂直な、すなわち水平な円形の底面１１ａと、底面１１ａの半径方向外側端から半径方向外側へと上方に傾斜する環状の傾斜面１１ｂとを含む。傾斜面１１ｂはベース１１の下面の半径方向外側端を規定する。ベース１１の上面側には、上面の半径方向外側端を規定する水平な環状面１１ｃと、環状面１１ｃの半径方向内側において環状面１１ｃに対し下方に窪み、ポスト２０の根元の周囲に環状の凹部１２とが設けられる。ベース１１は更に、傾斜面１１ｂの半径方向外側端と環状面１１ｃの半径方向外側端との間に、軸線と平行な側面１１ｄを有する。
【手続補正４】
【補正対象書類名】図面
【補正対象項目名】図６
【補正方法】変更
【補正の内容】
【図６】
2015097895.tif 000035
【手続補正５】
【補正対象書類名】図面
【補正対象項目名】図１８
【補正方法】変更
【補正の内容】
【図１８】
2015097895.tif 000036
【手続補正６】
【補正対象書類名】図面
【補正対象項目名】図１９
【補正方法】変更
【補正の内容】
【図１９】
2015097895.tif 000037
【手続補正７】
【補正対象書類名】図面
【補正対象項目名】図２０
【補正方法】変更
【補正の内容】
【図２０】
2015097895.tif 000038
【国際調査報告】
2015097895.tif 000039
2015097895.tif 000040